(57)【要約】【課題】、回転することにより油分を分離するフィルタを用いる際、使用者のニーズにあわせてフィルタの種類を選択できるレンジフードを提供すること。【解決手段】空気を吸引して外部に排出するレンジフード１０であって、レンジフード１０内の空気の流路上に設けられる盤状のフィルタ３と、フィルタ３を回転させる駆動源６２と、フィルタ３を駆動源６２に着脱可能に取り付ける保持体４と、を備えていることを特徴とするレンジフード１０である。保持体４は、駆動源６２とフィルタ３との中心軸を連結する固定部材４１と、フィルタ３の周縁部の盤面に沿って設けられる支持部材４４とからなる。【選択図】図２
2015152268.tif 000002
【特許請求の範囲】
【請求項１】
空気を吸引して外部に排出するレンジフードであって、
前記レンジフード内の空気の流路上に設けられる盤状のフィルタと、
前記フィルタを回転させる駆動源と、
前記フィルタを駆動源に着脱可能に取り付ける保持体と、を備えていることを特徴とするレンジフード。
【請求項２】
前記保持体は、前記駆動源とフィルタとの中心軸を連結する固定部材と、前記フィルタの周縁部の盤面に沿って設けられる支持部材とからなることを特徴とする請求項１に記載のレンジフード。
【請求項３】
前記支持部材は、前記フィルタの外周縁を全周に亘って支持する環状部と、前記保持体の固定部材と前記環状部とを連結するとともに、前記フィルタを支持する連結部とからなることを特徴とする請求項２に記載のレンジフード。
【発明の詳細な説明】
【技術分野】
【０００１】
本発明は、レンジフードに関する。詳しくは、台所等で油分を含んだ空気を吸引して外部に排気するレンジフードに関する。
【背景技術】
【０００２】
従来、調理施設や台所等の調理を行う場所には、油分を含んだ空気を吸引して外部へ排気するため、内部に換気扇を備えたレンジフードが配置されている。レンジフードは、油分を含んだ空気から油分を分離して、空気を通過させるフィルタを備えている。このフィルタとして、空気を透過可能な円盤状のフィルタをレンジフードに取り付け、このフィルタを回転させることにより油分を分離することが知られている（特許文献１参照）。
【先行技術文献】
【特許文献】
【０００３】
【特許文献１】特開２０１２−８２９７３号公報
【発明の概要】
【発明が解決しようとする課題】
【０００４】
フィルタは、油分を含んだ空気から油分を分離するため、表面に油分が付着する。このため、フィルタの定期的な清掃が必要となる。ここで、特許文献１に記載のレンジフードでは、フィルタはねじ及び取り付け片により係脱可能に構成されている。したがって、必要な場合に応じて、表面に油分が付着したフィルタを洗浄することができるようになっている。しかしながら、油分の付着したフィルタを取り外して洗浄することは、使用者にとって手間であり、レンジフードの清掃をより簡便に行えるようにすることが望まれている。
【０００５】
そこで、例えばフィルタを使い捨てのカートリッジ式とすることで、レンジフードの清掃をより簡便化できると考えられる。しかしながら、フィルタを使い捨てのカートリッジ式とすると、ランニングコストが嵩むおそれがあり、使用者によっては望まれない結果となるおそれがある。そのため、使用者のニーズにあわせて使い捨てのフィルタと使い捨てではない金属製等のフィルタとを選択できるレンジフードの開発が求められている。
【０００６】
本発明は、回転することにより油分を分離するフィルタを用いる際、使用者のニーズにあわせてフィルタの種類を選択できるレンジフードを提供することを目的とする。
【課題を解決するための手段】
【０００７】
上記目的を達成するため本発明は、空気を吸引して外部に排出するレンジフード（例えば、後述のレンジフード１０）であって、レンジフード内の空気の流路上に設けられる盤状のフィルタ（例えば、後述のフィルタ３）と、前記フィルタを回転させる駆動源（例えば、後述の駆動源６２）と、前記フィルタを駆動源に着脱可能に取り付ける保持体（例えば、後述の保持体４）と、を備えていることを特徴とするレンジフードを提供する。
【０００８】
本発明では、レンジフードを、盤状のフィルタと、フィルタを回転させる駆動源と、フィルタを駆動源に着脱可能に取り付ける保持体と、を含んで構成する。
【０００９】
本発明によれば、フィルタが、保持体により、フィルタを回転させる駆動源に着脱可能に取り付けられる。このため、フィルタに油分が付着して汚れた場合には、保持体を外してフィルタのみを清掃又は交換すればよい。したがって、フィルタを、より簡便に清浄な状態に維持することができる。
また、本発明によれば、従来は一体化されていたフィルタを保持する保持体とフィルタを、２部材に分割することにより、使用者のニーズにあわせてフィルタの種類を選択できる。したがって、より簡便な清掃を望む使用者は、使い捨てのフィルタを選択できる一方で、ランニングコストの低減を望む使用者は、使い捨てではない金属製等のフィルタを選択できる。
【００１０】
前記保持体は、前記駆動源とフィルタとの中心軸を連結する固定部材（例えば、後述の固定部材４１）と、前記フィルタの周縁部の盤面に沿って設けられる支持部材（例えば、後述の支持部材４４）とからなることを特徴とすることが好ましい。
【００１１】
この発明では、保持体を、駆動源とフィルタとの中心軸を連結する固定部材と、フィルタの周縁部の盤面に沿って設けられる支持部材とにより構成する。これにより、フィルタが安定して支持され、駆動源に接続される。
【００１２】
前記支持部材は、前記フィルタの外周縁を全周に亘って支持する環状部（例えば、後述の環状部４２）と、前記保持体の固定部材と前記環状部とを連結するとともに、前記フィルタを支持する連結部（例えば、後述の保持体連結部４３）とからなることを特徴とすることが好ましい。
【００１３】
この発明では、支持部材を、フィルタの外周縁を全周に亘って支持する環状部と、保持体の固定部材と環状部とを連結するとともに、フィルタを支持する連結部とにより構成する。これにより、固定部材から離隔した位置にあるフィルタの外周縁が好適に支持される。
【発明の効果】
【００１４】
本発明によれば、回転することにより油分を分離するフィルタを用いる際、使用者のニーズにあわせてフィルタの種類を選択できるレンジフードを提供することができる。
【図面の簡単な説明】
【００１５】
【図１】第１実施形態のレンジフードの概略図である。
【図２】第１実施形態における油分除去装置を下から見た斜視図である。
【図３】第１実施形態における油分除去装置の斜視分解図である。
【図４】第１実施形態における油分離部の断面概略図である。
【図５】（ａ）図は、第２実施形態における油分離部の斜視分解図であり、（ｂ）図は、断面概略図である。
【図６】（ａ）図は、第３実施形態における油分離部の斜視分解図であり、（ｂ）図は、断面概略図である。
【図７】（ａ）図は、第４実施形態における油分離部の斜視分解図であり、（ｂ）図は、断面概略図であり、（ｃ）図は、底面図であり、（ｄ）図は、（ｃ）図の使用の状態を示す部分図である。
【発明を実施するための形態】
【００１６】
以下、本発明の第１実施形態について、図面を参照しながら詳しく説明する。
図１は、本実施形態に係るレンジフード１０の概略図である。図１に示すように、レンジフード１０は、集煙口１１と、排煙口１２と、油分除去装置１と、送風機ユニット５と、フード本体６と、整流板７と、を備える。
【００１７】
集煙口１１は、レンジフード１０の下部に配置される開口部であり、調理の際に排出される油分を含んだ空気をレンジフード１０に吸引するものである。
排煙口１２は、集煙口１１に対向する上部に配置され、ダクト１３を介して吸引した空気を外部へ排出する開口部である。集煙口１１から排煙口１２へ、レンジフード１０内には空気の流路が形成されている。
【００１８】
送風機ユニット５は、内部にファン５０を有し、ファン５０を回転させる機構である。ファン５０の回転により、空気が吸引されて外部に排出される。
【００１９】
フード本体６は、送風機ユニット５の下方に配置される。フード本体６は、開口部６１と、駆動源６２と、を有する。フード本体６の下方には、集煙口１１が配置されている。
開口部６１は、フード本体６の上部に形成され、送風機ユニット５と連通する。開口部６１は、略円形である。
駆動源６２は、開口部６１の略中央に配置される。具体的には、駆動源６２は、フード本体６から支持される支持部（図示せず）を介して設置されている。
【００２０】
整流板７は、フード本体６の下方の集煙口１１に配置され、集煙口１１から吸引される空気をフード本体６の開口部の方へ導く。
【００２１】
油分除去装置１は、レンジフード１０内の空気の流路上に設けられている。具体的には油分除去装置１は、フード本体６の開口部６１に取り付けられている。油分除去装置１は、油分離部２と、油受材としてのオイルトレー８と、を備える。
【００２２】
図２は、第１実施形態における油分除去装置１を下方から見た斜視図である。図３は、油分除去装置１の斜視分解図である。図２及び図３において、説明の便宜のため、オイルトレー８は破線で示されている。
【００２３】
図２及び図３に示すように、油分離部２は、フィルタ３と、保持体４との２部材で構成されている。油分離部２は、使用時には空気の吸引方向を回転軸として回転し、油分を含んだ空気から油分を分離する。
【００２４】
フィルタ３は、円盤状であり、中心から外周側に至る面が空気を透過するように形成されている。フィルタ３は、フィルタ本体３０と、外周縁３１と、フィルタ連結部３２と、複数の貫通孔３３と、取付け孔３４と、を有する。
【００２５】
フィルタ本体３０は、薄い円盤状に形成されている。
取付け孔３４は、フィルタ本体３０の中心に配置される円形の孔である。
外周縁３１は、フィルタ本体３０の外周に沿う円形の縁である。外周縁３１は、フィルタ本体３０の上面から下方に向かって下り傾斜している。
フィルタ連結部３２は、取付け孔３４から外周縁３１に向かって略十字状に延びる細長い帯状の部分である。フィルタ連結部３２は、渦巻き状に回転する回転方向に沿って緩やかに湾曲している。フィルタ連結部３２とフィルタ連結部３２との間には、フィルタ連結部３２よりも細い幅で構成される格子部３２１が形成されており、格子部３２１もフィルタ連結部３２の湾曲に沿って緩やかに湾曲している。
複数の貫通孔３３は、格子部３２１部の間に形成される貫通孔である。
【００２６】
フィルタ３は、例えばステンレス鋼（ＳＵＳ）等の金属で構成される、金属フィルタであってよい。また、フィルタ３は、樹脂等の使い捨て可能な素材で構成される、使い捨てのカートリッジ式であってよい。使用者は、金属製及び樹脂性のいずれかのフィルタ３を選択して用いることができる。
【００２７】
保持体４は、フィルタ３の下方に配置されている。保持体４は、フィルタ３を駆動源６２に着脱可能に取り付けるものである。保持体４は、固定部材４１と、支持部材４４と、を有する。
固定部材４１は、保持体４の中心部に配置される。固定部材４１は、固定部材本体４１０と、ストッパー機構４２０とを有する。
固定部材本体４１０は、内部が中空の筒状に形成されている。固定部材本体４１０は、上端側でフード本体６の駆動源６２に連結可能に構成されている。
ストッパー機構４２０は、上部ストッパー４２１と、下部ストッパー４２２とを有する。
上部ストッパー４２１は、固定部材本体４１０の上方に、互いに対向して一対配置されている。
下部ストッパー４２２は、固定部材本体４１０の下方に、互いに対向して一対配置されている。
上部ストッパー４２１及び下部ストッパー４２２は、ばね（図示せず）により固定部材本体４１０の内部及び外部に出し入れ可能に構成されている。上部ストッパー４２１は、下部ストッパー４２２の動きに連動するように構成されている。
【００２８】
図４は第１実施形態における油分離部２の断面概略図である。
図４に示すように、固定部材４１は、上部ストッパー４２１及び下部ストッパー４２２の間にフィルタ３を挟んで、保持体４とフィルタ３とを固定する。下部ストッパー４２２が、固定部材本体４１０の内部に収容されるように押圧されると、上部ストッパー４２１が下部ストッパー４２２に連動して内部側へ移動する。上部ストッパー４２１及び下部ストッパー４２２が固定部材本体４１０の内部に収容された状態で、固定部材本体４１０はフィルタ３の取付け孔３４に挿入される。下部ストッパー４２２を押圧する力を弱めると、下部ストッパー４２２がばねにより外部へ突出する。
【００２９】
固定部材４１は、上部ストッパー４２１及び下部ストッパー４２２の間にフィルタ３を挟んで固定した状態で、上端側で駆動源６２に連結される。
【００３０】
図２及び図３に戻って、支持部材４４は、フィルタ３の周縁部の盤面に沿って設けられる。支持部材４４は、環状部４２と、保持体連結部４３と、を有する。
環状部４２は、固定部材４１を中心として保持体４の外周に配置される円環状の部分である。環状部４２は、フィルタ３の外周縁３１の外径よりも小さい外径を有する。図２に示すように、フィルタ３と保持体４とが合わされた状態では、環状部４２がフィルタ３の外周縁３１の内側に配置されて、外周縁３１を全周に亘って支持する。
【００３１】
保持体連結部４３は、固定部材４１と環状部４２とを連結し、略十字状に延びる細長い帯状の部分である。保持体連結部４３は、フィルタ３の回転方向に沿って、渦巻き状に緩やかに湾曲している。保持体連結部４３はフィルタ連結部３２の形状と対応しており、図２に示すように、フィルタ３と保持体４とが合わされた状態では、保持体連結部４３がフィルタ連結部３２を支持しすることで、フィルタ３を支持する。
【００３２】
図２に示すように、オイルトレー８は、油分離部２の外縁の下方に配置されている。オイルトレー８は、略環状であり、フィルタ３の外周縁３１の周囲に沿って配置される。オイルトレー８は、フィルタ３の面に交差する方向に起立して、互いに向かい合う外壁部８１及び内壁部８２と、これら外壁部８１及び内壁部８２をつなぐ底面部８３を有する。
【００３３】
オイルトレー８は、外壁部８１と内壁部８２との間にフィルタ３の外周縁３１が位置するように配置される。オイルトレー８は、フィルタ３により分離された油分を受け止めて収容する。
【００３４】
以上のレンジフード１０は、次のように使用される。まず、図１に示すように、調理等により排出される油分を含んだ空気は、温度が高いため上方へ移動する。この油分を含んだ空気は、ファン５０の回転により吸引され、整流板７の外側からフード本体６の内部へ流通し、フード本体６の開口部６１を介して上方へ流通する。
【００３５】
フード本体６の開口部６１には、駆動源６２が配置されている。駆動源６２の中心軸とフィルタ３の中心軸とは、固定部材４１により連結されており、支持部材４４が、フィルタ３を下方から支持している。このため、駆動源６２に駆動されて固定部材４１が回転すると、支持部材４４に支持されているフィルタ３が回転する。
【００３６】
油分を含んだ空気がフィルタ３を通過する際、油分はフィルタ連結部３２及び格子部３２１に衝突して、遠心力によりフィルタ３の外周縁３１側へ移動する。油分が除去された空気は、貫通孔３３を通過してファン５０に吸引される。
【００３７】
フィルタ３の回転による遠心力で滴下される油分は、オイルトレー８により捕集される。具体的には、フィルタ３の外周縁３１側へ移動した油分は、外周縁３１の下方に配置されているオイルトレー８に受け止められる。
【００３８】
台所等で排出される油分を含んだ空気から油分を分離して空気を排気していくと、フィルタ３に油分が付着する。そこで、フィルタ３及び保持体４をレンジフード１０から取り外す。使用者は、フィルタ３の清掃を簡便にしたいと望む場合は、使い捨てカートリッジ式のフィルタを用いて、油分の付着したフィルタ３を廃棄し、新しいフィルタ３と交換してもよい。また、耐久性のあるフィルタ３を長く使い、ランニングコストを低減したいと望む場合は、金属フィルタを用いて、付着した油分を洗浄し、再度取り付けて使うようにしてもよい。
【００３９】
第１実施形態によれば、以下の効果が奏される。
第１実施形態では、レンジフード１０を、盤状のフィルタ３と、フィルタ３を回転させる駆動源６２と、フィルタ３を駆動源６２に着脱可能に取り付ける保持体４と、を含んで構成した。
【００４０】
本実施形態では、フィルタ３が、保持体４により、フィルタ３を回転させる駆動源６２に着脱可能に取り付けられる。このため、フィルタ３に油分が付着して汚れた場合には、保持体４を外してフィルタ３のみを清掃又は交換すればよい。したがって、フィルタ３を、より簡便に清浄な状態に維持することができる。
また、本実施形態によれば、従来は一体化されていたフィルタを保持する保持体とフィルタを、２部材に分割することにより、使用者のニーズにあわせてフィルタの種類を選択できる。したがって、より簡便な清掃を望む使用者は、使い捨てのフィルタを選択できる一方で、ランニングコストの低減を望む使用者は、使い捨てではない金属製等のフィルタを選択できる。
【００４１】
また第１実施形態では、保持体４を、駆動源６２とフィルタ３との中心軸を連結する固定部材４１と、フィルタ３の周縁部の盤面に沿って設けられる支持部材４４とにより構成した。これにより、フィルタ３が安定して支持され、駆動源６２に接続される。
【００４２】
また第１実施形態では、支持部材４４を、フィルタ３の外周縁３１を全周に亘って支持する環状部４２と、保持体４の固定部材４１と環状部４２とを連結するとともに、フィルタ３を支持する保持体連結部４３とにより構成する。これにより、固定部材４１から離隔した位置にあるフィルタ３の外周縁３１が好適に支持される。
【００４３】
次に、本発明の第２実施形態について、図面を参照しながら詳しく説明する。第２実施形態以降の説明において、第１実施形態と共通する部分は、その説明を省略又は簡略化する。特に説明されない構成は、第１実施形態と同様である。また、図面において第１実施形態と共通するものにおいては第１実施形態と共通する符号を用いる。
【００４４】
図５（ａ）は、第２実施形態における油分離部２Ａの斜視分解図であり、図５（ｂ）は、断面概略図である。
図５（ａ）及び図５（ｂ）に示すように、第２実施形態では、保持体４Ａが、フィルタ３の上方に配置される点で第１実施形態と異なる。
フィルタ３は、保持体４Ａの固定部材４１における上部ストッパー４２１及び下部ストッパー４２２の間に保持されて保持体４Ａに連結される。
また、保持体４における保持体連結部４３Ａは、第１実施形態における保持体連結部４３よりもわずかに幅広に構成される。保持体連結部４３Ａは、その下面に接着剤Ｂが塗布され、フィルタ３のフィルタ連結部３２の上面と接着される。
【００４５】
第２実施形態によれば、以下の効果が奏される。
第２実施形態では、保持体４Ａを、フィルタ３の上方に配置した。これにより、フィルタ３により分離された油分が、平坦なフィルタ３の下面を伝ってより滑らかにフィルタ３の外縁側へ移動できる。
【００４６】
次に、本発明の第３実施形態について、図面を参照しながら詳しく説明する。
図６（ａ）図は、第３実施形態における油分離部２Ｂの斜視分解図であり、図６（ｂ）図は、断面概略図である。
図６（ａ）及び図６（ｂ）に示すように、第３実施形態では、フィルタ３Ｂが、挟持部３５を有する点で第１及び第２実施形態と異なる。
【００４７】
挟持部３５は、フィルタ３Ｂと連続して一体に形成される。挟持部３５は、フィルタ３の上面において外周に沿って形成される。挟持部３５は、側壁部３５１と、上面部３５２と、を有する。
側壁部３５１は、フィルタ３Ｂの上面において、外周縁３１から内周方向へずれた位置から保持体４の厚み分上方へ起立する。
上面部３５２は、側壁部３５１の上方の端部から、さらに内周方向へ向かってフィルタ３Ｂの上面に平行に延びる。上面部３５２とフィルタ３Ｂの上面との間には、隙間が形成されている。
挟持部３５は、弾性変形可能な素材で構成されている。
【００４８】
第３実施形態において、フィルタ３Ｂは、第２実施形態と同様に、保持体４の固定部材４１における上部ストッパー４２１及び下部ストッパー４２２の間に保持されてフィルタ３Ｂに連結される。また、保持体４の環状部４２は、フィルタ３Ｂの挟持部３５における上面部３５２とフィルタ３Ｂの上面との間に挿入され、挟持部３５に挟持される。
【００４９】
第３実施形態によれば、以下の効果が奏される。
第３実施形態では、保持体４を、フィルタ３Ｂの上方に配置し、フィルタ３Ｂの上面の外周に沿って形成した挟持部３５により、保持体４の環状部４２を挟持した。これにより、フィルタ３Ｂと保持体４とがより安定して連結される。
【００５０】
次に、本発明の第４実施形態について、図面を参照しながら詳しく説明する。
図７（ａ）は、第４実施形態における油分離部２Ｃの斜視分解図であり、図７（ｂ）は、断面概略図であり、図７（ｃ）は、底面図であり、図７（ｄ）は、図７（ｃ）の使用の状態における部分図である。
図７（ａ）及び図７（ｂ）に示すように、第４実施形態では、保持体４Ｃが傘状に形成されている点が第１〜第３実施形態と異なる。
【００５１】
保持体４Ｃの固定部材４１Ｃは、フィルタ３Ｃの回転軸方向に長く延びる固定部材本体４１０Ｃを有する。また、ストッパー機構４２０Ｃは、固定部材本体４１０Ｃから略十字状に、４方向に突出するように配置されるストッパー４２３を有する。図７（ｃ）に示すように、ストッパー４２３は、フィルタ３Ｃのフィルタ連結部３２Ｃと重なり合うように突出する。図７（ｄ）に示すように、第１実施形態の場合と同様、ストッパー４２３は、押圧することにより固定部材本体４１０Ｃの内部に収容され、フィルタ３Ｃに取り付け可能になる。
【００５２】
保持体４Ｃの環状部４２Ｃは、固定部材４１Ｃの下方側において、固定部材４１Ｃを中心軸とする円周上に配置されている。環状部４２Ｃは、フィルタ３Ｃの外周縁３１Ｃからさらに下方外側へ延び、下り傾斜して形成される。
保持体連結部４３Ｃは、固定部材４１Ｃの上部から、環状部４２Ｃに向かって放射状に延びる。
【００５３】
フィルタ３Ｃは、平坦な円盤状であり、外周縁３１Ｃは、フィルタ本体３０Ｃと同一面に延びる。
【００５４】
第４実施形態によれば、フィルタ３Ｃを安定して保持しつつ、フィルタ３Ｃを伝う油分の移動を妨げにくいという効果を奏する。
【００５５】
なお、本発明は上記実施形態に限定されるものではなく、本発明の目的を達成できる範囲での変形、改良等は本発明に含まれる。
例えば、フィルタに、油分を吸収する素材を設けて、フィルタの回転により外周に移動しなかった油分を保持するように構成してもよい。
また、フィルタと保持体の形状は、上記に限られない。保持体とフィルタとは、組み合わせて所定の強度を有するように構成される限り、保持体の方の強度がフィルタ材よりも高くてもよく、フィルタの強度が保持体の強度よりも高く構成されていてもよい。
【００５６】
また、オイルトレーの内部に、捕集した油分を吸収することができ、廃棄及び交換が可能な油分吸収部材を配置してもよい。
【符号の説明】
【００５７】
３      フィルタ
４      保持体
１０    レンジフード
３１    外周縁
３３    複数の孔
４１    固定部材
４２    環状部
４３    保持体連結部（連結部）
４４    支持部材
６２    駆動源
【図１】
2015152268.tif 000003
【図２】
2015152268.tif 000004
【図３】
2015152268.tif 000005
【図４】
2015152268.tif 000006
【図５】
2015152268.tif 000007
【図６】
2015152268.tif 000008
【図７】
2015152268.tif 000009